(57)【要約】【課題】安全性や環境汚染などの点で問題の多い農薬等の薬剤を使用したり、経費のかかる土壌加熱装置や土壌加熱用具等を使用せずに、土壌の健全性を保ちながら、土壌の温度を簡単に且つ安全に低コストで上昇させて、土壌中の有害な微生物、昆虫、小動物等を死滅させたり防除することができ、しかも温度上昇処理後の土壌または温度上昇中の土壌を使用して、植物を健全に生育させたり、植物の生育促進を図ることのできる、土壌温度の上昇方法を提供すること。【解決手段】土壌に、糟糠類または糟糠類と微生物資材を添加混合して、土壌温度を上昇させる方法。【選択図】      なし【特許請求の範囲】
【請求項１】
土壌に糟糠類を添加混合して、土壌温度を上昇させる方法。
【請求項２】
土壌に糟糠類および微生物資材を添加混合して、土壌温度を上昇させる方法。
【請求項３】
土壌の質量に対して、糟糠類を０．５〜１０質量％の割合で添加混合する請求項１または２に記載の方法。
【請求項４】
微生物資材中に含まれる菌の量が、土壌１ｋｇ当たり１０５ＣＦＵ以上になるような量で、土壌に微生物資材を添加混合する請求項１〜３のいずれか１項に記載の方法。
【請求項５】
糟糠類が、小麦フスマおよび／または末粉である請求項１〜４のいずれか１項に記載の方法。
【請求項６】
土壌の含水率を、土壌の最大容水量の２５〜１００％に調整して、糟糠類または糟糠類と微生物資材を添加混合する請求項１〜５のいずれか１項に記載の方法。
【請求項７】
土壌の嵩比重が１．５未満であり、該土壌の含水率を土壌の最大容水量の４０〜１００％に調整して、糟糠類または糟糠類と微生物資材を添加混合する請求項６に記載の方法。
【請求項８】
土壌の嵩比重が１．５以上であり、該土壌の含水率を土壌の最大容水量の２５〜８０％に調整して、糟糠類または糟糠類と微生物資材を添加混合する請求項６に記載の方法。
【発明の詳細な説明】
【０００１】
【発明の属する技術分野】
本発明は、土壌の温度を上昇させる方法に関する。本発明の方法による場合は、安全性や環境汚染などの点で問題の多い農薬などの薬剤を使用せずに、しかも経費のかかる土壌加熱装置や土壌加熱用具などの使用や設置を省略することが可能であり、その場合にも、土壌の健全性を保ちながら、土壌の温度を簡単に且つ安全に上昇させることができ、それによって土壌中の有害な微生物、昆虫、小動物などを死滅させたり防除したり、植物を健全に生育させたり、植物の生育促進を図ることができる。
【０００２】
【従来の技術】
植物の生育にとって有害な土壌中微生物、土壌中昆虫やその幼虫、小動物を防除するために、従来、土壌殺菌剤や土壌殺虫剤などの薬剤が多用されてきた。しかしながら、これらの薬剤は、人や人以外の動物、植物などに対して有害なものが多く、また環境汚染の問題などがある。かかる点から、薬剤を用いる代わりに、土壌温度を上昇させて、土壌中の有害生物を死滅させる方法が種々提案されている。また、土壌中の有害生物の防除の観点だけでなく、土壌温度を植物の生育に適した温度に上昇させて植物の生育を促進させるという観点からも、土壌温度の上昇方法が色々提案されている。
【０００３】
土壌温度の上昇方法に係るそのような従来技術としては、
（１）カーボンブラックまたはカーボンブラックと他の染顔料を含有する吸熱性フィルムで土壌表面を覆って土壌温度を上昇させて、植物の生育を促進させる方法（特許文献１等を参照）；
（２）通電式のフィルムヒーターを敷き、その上に土壌に播種した育苗トレーを配置し、フィルムヒーターに通電することによって土壌温度を上昇させて種苗、育苗の促進を図る方法（特許文献２等を参照）；
（３）作物の根圏深さ付近の土壌中に潅水パイプを設置し、その潅水パイプから溶存酸素を除去した温水を供給して、作物の根圏付近から地表下５ｃｍ迄の温度を３０℃以上に上昇させて土壌中の有害生物を防除する方法（特許文献３等を参照）；
などが知られている。
【０００４】
さらに、別の方法として、
（４）ハウス内の土壌中にパイプを埋設し、パイプ中に温水を通して地中暖房を行うか又はパイプに孔を設けてその孔から高温空気を土壌中に供給することによって土壌温度を上昇させて土壌の熱消毒を行う方法（特許文献４等を参照）；
（５）土壌中に消毒管を埋設し、その消毒管を通して消毒用蒸気を供給して土壌を加熱する加熱工程と、該消毒管を通して冷却水を供給して土壌を冷却する工程とを交互に行って土壌を消毒する方法（特許文献５等を参照）；
（６）植物を生育させる土壌に遠赤外線放射体を設置し、該遠赤外線放射体から放射される遠赤外線によって土壌を加温して、植物の生育を促進させる方法（特許文献６等）；
などが知られている。
【０００５】
上記（１）の従来法による場合は、カーボンブラックなどを含有させた吸熱性フィルムで土壌を覆うという簡単な操作で土壌温度を上昇させることができるが、吸熱性フィルムが時間の経過に伴って劣化して破損するなどのトラブルが発生し易い。また、使用済みの吸熱性フィルムが廃棄物になって多量のゴミが発生するため、その処理に苦慮しているのが現状である。
【０００６】
また、上記（２）の従来法による場合は、高価な通電式のフィルムヒーターを使用する必要があり、特に、種苗や育苗の規模が大きくなるにつれて、フィルムヒータ数を増やしたり、大面積のフィルムヒータを使用しなければならず、低コストで実施することが困難である。
【０００７】
さらに、上記（３）〜（５）の従来法による場合は、土壌中に、温水、高温空気、蒸気などを供給するためのパイプを設置する必要があるため、設備費が高くつき、低コストで簡単に土壌温度を上昇させることができない。しかも、温度上昇が可能な土壌は、パイプを設置した土壌に限られ、任意の土壌を必要に応じて温度上昇させることができない。その上、上記（３）の従来法による場合は、溶存酸素を除去した温水を用いるため、溶存酸素を除去した温水を製造するための高価な装置が別途必要である。
【０００８】
上記（６）の従来法による場合も、遠赤外線放射体を設置する必要があり、設備費が高くつく。しかも、遠赤外線放射体から放射される遠赤外線が届く範囲の土壌しか温度を上昇させることができず、任意の土壌を必要に応じて温度上昇させることができない。
【０００９】
また、土壌温度を単に上昇させるのであれば、土壌に消石灰を混合し、そこに水を添加することによって反応させ、反応熱で土壌温度を上昇させることも可能であるが、温度の持続性がなく、短時間のうちに非加熱状態に戻ってしまう。しかも、土壌が植物の生育に適さない、アルカリ性状態になり易い。
【００１０】
【特許文献１】
特開昭４８−１８０３５号公報
【特許文献２】
特開平１０−２１５７０４号公報
【特許文献３】
特開平１１−９０９１号公報
【特許文献４】
特開２０００−１８４８２８号公報
【特許文献５】
特開２００１−２９３０６６号公報
【特許文献６】
特開２００２−３０５９７３号公報
【００１１】
【発明が解決しようとする課題】
本発明の目的は、人、人以外の動物、植物などに対して有害で、しかも環境汚染の問題などのある農薬やその他の薬剤を使用しなくても、更には吸熱性フィルム、通電式のフィルムヒーター、土壌中に温水、高温空気、蒸気などを供給するためのパイプ、遠赤外線放射体などのような特別の部材や特別の設備を使用したり設置しない場合にも、土壌の健全性を保ちながら、土壌の温度を簡単に且つ安全に、しかも低コストで上昇させ得る方法を提供することである。
そして、本発明の目的は、任意の種類の土壌、任意の場所の土壌に対して、場所的な制約や制限を受けることなく、簡単に温度を上昇させ得る方法を提供することである。
さらに、本発明の目的は、簡単に且つ安全に、しかも低コストで、任意の種類の土壌、任意の場所の土壌の温度を上昇させて、土壌中の有害な微生物、昆虫、小動物などを死滅させたり防除することができ、更には植物の生育を促進し得る方法を提供することである。
【００１２】
【課題を解決するための手段】
上記の目的を達成すべく本発明者らは鋭意検討を重ねてきた。その結果、土壌に糟糠類を添加混合すると、添加量が少ない場合であっても、土壌の健全性を保ちながら、土壌の温度を簡単に且つ安全に上昇させ得ることを見出した。
また、本発明者らは、土壌への糟糠類の添加量を調整することにより、土壌温度を、有害な微生物、昆虫、小動物を死滅させたり防除することのできる、５０℃以上の高温に上昇させることも可能であることを見出した。
さらに、本発明者らは、糟糠類と共に微生物資材を土壌に添加混合すると、土壌の温度上昇をより円滑に実施できることを見出した。
そして、糟糠類または糟糠類と微生物資材を土壌に添加混合して土壌温度を上昇させるという本発明者らの見出した前記方法による場合は、土壌中に含まれている有害な微生物、昆虫などが死滅させたり低減させて防除でき、さらに土壌温度の上昇により温室栽培と類似した効果を奏することができるため、植物の健全な生育や生育促進が可能であることに想到し、それらの種々の知見に基づいて本発明を完成した。
【００１３】
すなわち、本発明は、
（１）  土壌に糟糠類を添加混合して、土壌温度を上昇させる方法；および、
（２）  土壌に糟糠類および微生物資材を添加混合して、土壌温度を上昇させる方法；
である。
【００１４】
そして、本発明は、
（３）  土壌の質量に対して、糟糠類を０．５〜１０質量％の割合で添加混合する前記（１）または（２）の方法；
（４）  微生物資材中に含まれる菌の量が、土壌１ｋｇ当たり、１０５ＣＦＵ以上になるような量で、土壌に微生物資材を添加混合する前記（１）〜（３）のいずれかの方法；および、
（５）  糟糠類が、小麦フスマおよび／または末粉である前記（１）〜（４）のいずれかの方法；
である。
【００１５】
さらに、本発明は、
（６）  土壌の含水率を、土壌の最大容水量の２５〜１００％に調整して、糟糠類または糟糠類と微生物資材を添加混合する前記（１）〜（５）のいずれかの方法；
（７）  土壌の嵩比重が１．５未満であり、該土壌の含水率を土壌の最大容水量の４０〜１００％に調整して、糟糠類、または糟糠類と微生物資材を添加混合する前記（６）の方法；および、
（８）  土壌の嵩比重が１．５以上であり、該土壌の含水率を土壌の最大容水量の２５〜８０％に調整して、糟糠類または糟糠類と微生物資材を添加混合する前記（６）の方法；
である。
【００１６】
【発明の実施の形態】
以下に本発明について詳細に説明する。
本発明では、土壌の糟糠類の添加混合することによって、土壌の温度を上昇させる。土壌に添加混合する糟糠類としては、穀類から得られる糟糠類であればいずれでもよく、例えば、小麦粉を製造する際の副産物である小麦フスマ、末粉、精米した際の副産物である米ヌカ、コーンブランなどを挙げることができる。これらの糟糠類は単独で使用してもまたは２種以上を併用してもよい。
そのうちでも、小麦フスマおよび／または末粉、特に小麦フスマが一般に流通していて大量入手が可能であり、土壌に添加混合する際の取り扱い性が良好であるなどの点から好ましく用いられる。
【００１７】
土壌への糟糠類の添加量は、糟糠類の種類、土壌の種類や状態、土壌の使用目的などに応じて異なり得るが、一般的には、土壌の質量に対して０．５〜１０質量％であることが好ましく、２〜６質量％以上であることがより好ましい。
糟糠類の添加量が０．５質量％未満であると、土壌温度が上昇しにくくなる。一方、糟糠類の添加量の上限値は特に制限されないが、コストなどの点から、土壌の質量に対して１０質量％以下であることが好ましい。
一般に、土壌への糟糠類の添加量が多くなるほど、土壌の温度上昇が大きくなり、例えば、黒土に対して小麦フスマを５質量％の割合で添加混合した場合には、土壌の最高温度を６０℃またはそれ以上にすることも可能である。
【００１８】
本発明では、土壌に糟糠類を単独で添加してもよいし、または糟糠類と共に微生物資材を添加してもよい。糟糠類と共に微生物資材を添加した場合は、土壌温度をより短期間に上昇させることができ、更に最高温度を高めることができる。微生物資材としては、土壌に添加した糟糠類を資化し得る能力を有していて、しかも土壌で生育させようとする植物に対して無害であり、人やその他の動物などに対しても無害で、土壌温度が上昇しても死滅しない微生物または該微生物を含有する資材であればいずれでもよい。
【００１９】
そのうちでも、微生物資材としては、糟糠類を資化することができ、且つ８０℃の温度で２０分間処理した後でも生存可能な無害な耐熱性菌または該耐熱性菌を含有する資材が好ましく用いられる。そのような耐熱性菌の例としては、バチルス・サブチルス（Ｂａｃｉｌｌｕｓ  ｓｕｂｔｉｌｉｓ）、バチルス・コアギュランス（Ｂａｃｉｌｌｕｓ  ｃｏａｇｕｌａｎｓ）、バチルス・ステアロサーモフィラス（Ｂａｃｉｌｌｕｓ  ｓｔｅａｒｏｔｈｅｒｍｏｐｈｉｌｕｓ）などのバチルス属微生物、サーモアクチノミセス・ブルガリス（Ｔｈｅｒｍｏａｃｔｉｎｏｍｙｃｅｓ  ｖｕｌｇａｒｉｓ）、サーモモノスポーラ・カーバラ（Ｔｈｅｒｍｏｍｏｎｏｓｐｏｒａ  ｃｕｒｖａｒａ）などの好温・好熱性の放線菌、フミコーラ・インソレンス（Ｈｕｍｉｃｏｌａ  ｉｎｓｏｋｅｎｓ）、タラロマイセス・デユポンティ（Ｔａｌａｒｏｍｙｃｅｓ  ｄｕｐｏｎｔｉｉ）などの好熱性の糸状菌などを挙げることができる。本発明で用いる微生物資材は、これらの耐熱性菌の１種または２種以上を含有することができる。前記した耐熱性菌は、微生物製剤等として市販されており、市販のものをそのまま用いてもよい。また、場合によっては、前記した耐熱性菌を培養増殖して用いてもよい。これらの耐熱性菌の多くは、糟糠類を分解する能力が高い。
微生物資材では、８０℃の温度で２０分間処理した後でも生存可能な無害な耐熱性菌を、微生物資材１ｇ当たり１０７ＣＦＵ（Ｃｏｌｏｎｉ  ＦｏｒｍｉｎｇＵｎｉｔ）以上の割合で含有していることが好ましい。
【００２０】
土壌への微生物資材の添加量は、土壌１ｋｇに対して、前記した耐熱性菌の添加量が１０５ＣＦＵ以上、特に１０６ＣＦＵ以上になるような割合で用いることが好ましい。
ここで、本発明でいう耐熱性菌の前記したＣＦＵの値は、微生物資材を８０℃で２０分間処理した後に、３０℃の恒温槽内で標準寒天培地を用いて４８時間培養したときの、コロニー数をいい、その具体的な内容については以下の実施例の項に記載するとおりである。
【００２１】
さらに、本発明では、土壌温度を上昇させるに当たって、糟糠類、または糟糠類と微生物資材と共に、必要に応じて、例えばバーミキュライト、パーライト、ゼオライト、ケイソウ土などの鉱物、土壌改良材、普通肥料、特殊肥料などを添加混合してもよい。
【００２２】
本発明では、温度上昇の対象である土壌の種類は特に制限されず、例えば、通常の黒土、赤土、砂質土壌、粘土質土壌、それらの混合物からなる土壌のいずれに対しても適用できる。
土壌温度を上昇させるに当たっては、土壌中に十分な水分を含有させ、さらに土壌中にできるだけ多くの空隙を存在させた状態（できるだけ多くの空気を含有させた状態）で、糟糠類または糟糠類と微生物資材を添加混合するのが、温度上昇を円滑に且つ均一行うことができるので好ましい。
【００２３】
かかる点から、土壌の含水率を、土壌の最大容水量の２５〜１００％に調整して、糟糠類または糟糠類と微生物資材を添加混合することが好ましい。
その際に、土壌の嵩比重が１．５未満である場合は、土壌の含水率を土壌の最大容水量の４０〜１００％に調整して、糟糠類または糟糠類と微生物資材を添加混合することが、土壌温度を円滑に上昇させるためにより好ましい。
また、土壌の嵩比重が１．５以上である場合は、土壌の含水率を土壌の最大容水量の２５〜８０％に調整して、糟糠類または糟糠類と微生物資材を添加混合することが、土壌温度を円滑に上昇させるためにより好ましい。
ここで、「土壌の最大容水量」とは、その土壌が土壌中に保持することのできる最大の水量（％）をいい、以下の方法により求められる。
【００２４】
《土壌の最大容水量》
Ｈｉｌｇａｒｄ法［「土壌環境分析法」第５０頁、土壌環境分析法編集委員会編（博友社）］によって次の方法によって、土壌の最大容水量を求める。
（ｉ）  直径５．６ｃｍおよび深さ１．０ｃｍの底部に小孔の開いた皿［皿の質量Ａ（ｇ）］に、予め含水量Ｂ（％）を測定した風乾土壌を充填して質量Ｃ（ｇ）（皿と風乾土壌の合計質量）を測定する。
（ｉｉ）  次に、風乾土壌を充填した皿の底部を水に浸して、底部の小孔から水を十分に吸収させた後、皿底部と床面との間に間隙を設けて平らな状態で皿を静置して、余分の水を皿底部の小孔から排出させて水切りし、水がもはや排出されなくなった時に質量Ｄ（ｇ）を測定し、下記の数式（１）〜（３）から最大容水量（％）を求める。すなわち、下記の数式（１）から皿に充填した風乾土壌の質量Ｅ（ｇ）を求め、下記の数式（２）から風乾土壌の単位質量（１ｇ）当たりの毛管飽和水分量Ｆ（％）を求め、次いで下記の数式（３）から乾燥土壌１００ｇあたりに換算して、最大容水量（％）を求める。
【００２５】
【数１】
皿に充填した風乾土壌の質量Ｅ（ｇ）＝Ｃ−Ａ                      （１）
風乾土壌の毛管飽和水量Ｆ（％）＝｛（Ｄ−Ｃ）／Ｅ｝×１００      （２）
土壌の最大容水量（％）＝｛（Ｂ＋Ｆ）／（１００−Ｂ）｝×１００      （３）
【００２６】
また、本明細書でいう「土壌の含水率」は、次のようにして求めた含水率をいう。
《土壌の含水率》
土壌ａ（ｇ）を、質量ｂ（ｇ）のアルミ製秤量缶に精秤し、１０５℃で５時間乾燥処理を行い、そのときの土壌とアルミ製秤量缶の合計質量ｃ（ｇ）を測定し、乾燥処理の前と後での減質量分から、下記の数式（４）により土壌の含水率（％）を求める。
【００２７】
【数２】
土壌の含水率（％）＝｛（ａ＋ｂ−ｃ）／ａ｝×１００        （４）
【００２８】
さらに、本明細書における「土壌の嵩比重」は、以下の数式（５）により求められる嵩比重をいう。
【００２９】
【数３】
土壌の嵩比重＝Ｇ／Ｈ                          （５）
［式中、Ｇは土壌を容量がＨ（ｍｌ）の有底円筒状容器内に圧縮力を加えることなく擦り切り状態で一杯に充填したときの土壌の質量（ｇ）、Ｈは有底円筒状容器の容量（ｍｌ）を示す。］
【００３０】
土壌への糟糠類または糟糠類と微生物資材の添加混合方法は特に制限されず、糟糠類または糟糠類と微生物資材を土壌中に均一に添加混合し得る方法であればいずれの方法で行ってもよい。
特に、土壌に糟糠類または糟糠類と微生物資材を添加するに当たっては、土壌の含水率が温度上昇に適したものになるように、糟糠類または糟糠類と微生物資材の添加前、添加と同時または添加後、特に添加前または添加と同時に、土壌に水分を添加するのが好ましい。
さらに、土壌内にできるだけ多くの空隙を存在させる（できるだけ多量の空気を含有させるために）、土壌を撹拌しながら、土壌に糟糠類または糟糠類と微生物資材を添加することが好ましい。
【００３１】
本発明の土壌温度の上昇処理は、畑地、水田、公園、花壇などのような土壌が元々ある場所（現場）に出向いて行うことができる。その場合には、土壌を耕運機、鍬などで耕すと同時に、土壌に糟糠類または糟糠類と微生物資材を添加混合するようにすることにより、温度上昇処理の操作を簡便に且つ良好に行うことができる。
糟糠類または糟糠類と微生物資材を添加混合してなる土壌現場では、糟糠類または糟糠類と微生物資材の添加混合直後に、土壌に種を蒔いたり、苗を植えたりして、植物を生育させてもよいし、或いは土壌に糟糠類または糟糠類と微生物資材を添加混合して土壌温度を上昇させた後に、または土壌温度が上昇してから元の温度に戻った後に、土壌に種を蒔いたり、苗を植えたりして、植物を生育させることができる。
或いは、既に植物が生育中の土壌に対して、糟糠類または糟糠類と微生物資材を添加混合して、土壌中に含まれる有害生物を防除して、土壌を植物の生育に適した状態に改質することもできる。
【００３２】
また、本発明の土壌温度の上昇処理は、土壌が元々ある畑地などの現場ではなくて、別途予め用意しておいた採取土壌や調整土壌などに対しても行うことができる。
その場合には、本発明の方法で温度上昇処理を施した土壌は、温度上昇処理によって土壌中に含まれていた有害な微生物、昆虫類などの生物が死滅したり低減していて、植物の生育用土壌として有効に使用することができるので、有害生物の防除済みの土壌として、適当な容器に充填して流通、販売することができる。
【００３３】
本発明の方法による場合は、土壌温度を上昇させるための特別の設備や部材などを用いなくても、土壌温度を簡単に上昇させることができる。
しかしながら、本発明は、土壌温度を上昇させるための設備や部材などの併用を排除するものではない。本発明に従って土壌に糟糠類または糟糠類と微生物資材を添加混合して土壌温度を上昇させる際に、必要に応じて、土壌温度を上昇させるために従来用いられてきたのと同様の設備や部材、例えば、カーボンブラックなどの吸熱剤を添加した吸熱性フィルム、フィルムヒーターなどの各種ヒーター、土壌中に温水、高温空気、蒸気などを供給するためのパイプ、遠赤外線放射体、温室などのような設備や部材を併用してもよい。
【００３４】
【実施例】
以下で実施例などにより本発明について具体的に説明するが、本発明は以下の実施例に何ら限定されるものではない。
以下の例において、微生物資材中の耐熱性菌数は、下記のようにして測定した。
【００３５】
（ｉ）微生物資材中の耐熱性菌数の測定：
微生物資材１ｇを滅菌水９ｍｌで混釈し、その後、微生物菌数に応じて希釈する（平板希釈法）。次いで８０℃で２０分間加熱処理した後、標準寒天培地（栄研化学製「パールコア」）に塗沫し、３０℃の恒温槽内で２日間培養し、培地上のコロニー数を数えて、微生物資材１ｇ当たりの耐熱性菌数を求めた。
【００３６】
また、以下の例において、土壌の最大容水量、含水率および嵩比重は、前記した方法により求めた。すなわち、最大容水量は前記した数式（１）〜（３）にしたがって、土壌の含水率は前記した数式（４）により、また土壌の嵩比重は前記した数式（５）により求めた。
【００３７】
《実施例１》
（１）  黒土（嵩比重＝０．８；最大容水量＝１３１．２％）に水を添加して、含水率４５．５％に調整した（黒土の最大容水量の６３．７％に水分調整）。
（２）  上記（１）で得られた水分調整後の黒土の温度を２０℃にし、該水分調整後の黒土の質量に基づいて０．５質量％の割合で小麦フスマを添加して撹拌下に均一に混合し、それを小型発酵リアクターに入れ、温度センサーにて温度を１０８時間にわたって経時的に測定した。
【００３８】
《実施例２》
実施例１の（２）において、小麦フスマの添加量を、水分調整後の黒土に基づいて１質量％とした以外は実施例１と同様の操作を行って、土壌温度を１０８時間にわたって経時的に測定した。その結果は、下記の表１に示すとおりであった。
【００３９】
《実施例３》
実施例１の（２）において、小麦フスマの添加量を、水分調整後の黒土に基づいて２質量％とした以外は実施例１と同様の操作を行って、土壌温度を１０８時間にわたって経時的に測定した。その結果は、下記の表１に示すとおりであった。
【００４０】
《実施例４》
実施例１の（２）において、小麦フスマの添加量を、水分調整後の黒土に基づいて５質量％とした以外は実施例１と同様の操作を行って、土壌温度を１０８時間にわたって経時的に測定した。その結果は、下記の表１に示すとおりであった。
【００４１】
《比較例１》［対照例］
（１）  実施例１の（１）で使用したのと同じ黒土（嵩比重＝０．８；最大容水量＝１３１．２％）に水を添加して、含水率４５．５％に調整した（黒土の最大容水量の６３．７％に水分調整）。
（２）  上記（１）で得られた水分調整後の黒土の温度を２０℃にした後、小麦フスマを何ら加えることなく、土壌温度を１０８時間にわたって経時的に測定したところ、下記の表１に示すように、土壌の温度変化は殆どなかった。
【００４２】
《比較例２》
実施例１の（２）において、小麦フスマの代わりに、化成肥料（コープケミカル株式会社製「くみあい尿素複合燐加安７７７」）を、水分調整後の黒土に基づいて０．８質量％の割合で添加し［実施例４（小麦フスマを５質量％の割合で添加）におけるのと全窒素量および全リン酸量が同じになるような量で化成肥料を添加］、それ以外は実施例１と同様にして、土壌温度を１０８時間にわたって経時的に測定した。その結果は、下記の表１に示すとおりであった。
【００４３】
【表１】
2004254508.tif 000002
【００４４】
上記の表１の結果にみるように、実施例１〜４では、土壌（黒土）に対して、小麦フスマを０．５質量％以上の割合で添加混合したことにより、土壌温度が上昇しており、特に実施例４では土壌の最高温度が６３．５℃にも達している。
一方、小麦フスマを添加しなかった比較例１（対照例）の土壌では、小麦フスマを添加していないために土壌温度の上昇はなく、また化成肥料を添加した比較例２では、土壌の温度は多少上昇したものの、実施例１〜４に比べて、その上昇の程度が極めて低かった。
【００４５】
《実施例５》
（１）  砂質土壌（嵩比重＝１．８；最大容水量＝３１．４％）に水を添加して、含水率１０％に調整した（砂質土壌の最大容水量の３５．３％に水分調整）。（２）  上記（１）で得られた水分調整後の砂質土壌の温度を２０℃にし、該水分調整後の砂質土壌の質量に基づいて３質量％の割合で小麦フスマを添加して撹拌下に均一に混合し、その土壌温度を１０８時間にわたって経時的に測定したところ、下記の表２に示すとおりであった。
【００４６】
《実施例６》
（１）  小麦フスマ５０ｋｇ、ゼオライト５ｋｇおよびバーミキュライト２５ｋｇを大型ミキサーを使用して均一に混合した後、水を４５ｋｇ加えてさらに混合し、次いで加熱蒸気により滅菌処理した。滅菌処理後の混合物の水分含量は約４０％であった。次に、アスペルギルス・オリゼー（Ａｓｐｅｒｇｉｌｌｕｓ  ｏｒｙｚａｅ）（ＩＦＯ  ３０１０５）の乾燥菌体７０ｇを加えて均一に混合した後、雰囲気温度を２７℃にコントロールして好気的条件下に４８時間一次発酵させた。一次発酵の途中に２回切り返しを行った。次いで、ストレプトミセス・フラベオラス（Ｓｔｒｅｐｔｏｍｙｃｅｓ  ｆｌａｖｅｏｌｕｓ）菌（ＩＦＯ  １２７６８）およびバシルス・サーキュランス（Ｂａｃｉｌｌｕｓ  ｃｉｒｃｕｌａｎｓ）菌（ＩＦＯ  １３６４０）を各々７０ｇずつ添加して均一に混合し、好気的条件下に雰囲気温度を２５℃にコントロールして、途中２回切り返し（撹拌）を行って７２時間二次発酵させて微生物資材を調製した。
（２）  実施例５で使用したのと同じ砂質土壌（嵩比重＝１．８；最大容水量＝３１．４％）に水を添加して、含水率１０％に調整した（砂質土壌の最大容水量の４１．８％に水分調整）。
（３）  上記（２）で得られた水分調整後の砂質土壌の温度を２０℃にし、該水分調整後の砂質土壌の質量に基づいて、小麦フスマを３質量％および前記（１）で得られた微生物資材［上記した方法で８０℃で２０分の加熱処理後の耐熱性菌数（生菌数）＝１０８ＣＦＵ／ｇ微生物資材］０．１質量％を添加して撹拌下に均一に混合し、その土壌温度を１０８時間にわたって経時的に測定したところ、下記の表２に示すとおりであった。
【００４７】
《比較例３》［対照例］
（１）  実施例５の（１）で使用したのと同じ砂質土壌（嵩比重＝１．８；最大容水量＝３１．４％）に水を添加して、含水率１０％に調整した（砂質土壌の最大容水量の３５．３％に水分調整）。
（２）  上記（１）で得られた水分調整後の砂質土壌の温度を２０℃にした後、小麦フスマおよび微生物資材を何ら加えることなく、土壌温度を１０８時間にわたって経時的に測定したところ、下記の表２に示すように、土壌の温度変化は殆どなかった。
【００４８】
【表２】
2004254508.tif 000003
【００４９】
上記の表２の結果にみるように、実施例５および６では、土壌（砂質土壌）に対して、小麦フスマまたは小麦フスマと微生物資材を添加混合したことにより、土壌温度が上昇しており、特に小麦フスマと微生物資材を併用した実施例６では土壌の最高温度が６２．２℃にも達している。
一方、小麦フスマおよび微生物資材のいずれをも添加しなかった比較例３（対照例）の土壌では、土壌温度の上昇はなかった。
【００５０】
【発明の効果】
本発明で用いる糟糠類は、動物用飼料などとして従来から用いられていて安全性に極めて優れているため、本発明の方法による場合は、安全性や環境汚染などの点で問題の多い農薬やその他の薬剤を使用しなくても、しかも経費のかかる土壌加熱装置や土壌加熱用具など使用したり設置しない場合であっても、土壌の健全性を保ちながら、土壌の温度を簡単に且つ安全に、低コストで上昇させることができる。
本発明の方法によって温度上昇処理を行った土壌では、土壌中の有害な微生物、昆虫、小動物などを死滅させたり防除されているので、植物を健全に生育させることができる。
さらに、本発明の方法による場合は、土壌の温度を上昇させながら加温状態で植物を生育させることができるため、温室栽培などの場合と同様に、植物の発芽や苗の成長などを促進させることができる。
【００５１】
土壌に糟糠類または糟糠類と微生物資材を添加して土壌の温度を上昇させる本発明の方法は、土壌に糟糠類または糟糠類と微生物資材を添加混合するだけでよく、特別の設備や用具の使用を省略することが可能であり、そのため、温度上昇させる土壌の種類や、場所などに制約されず、任意の土壌に対して、任意の場所で、土壌の温度を簡単に上昇させることができ、例えば、畑、水田、公園、花壇、その他の現場の任意の土壌のある場所で、さらにはポットや苗床に充填して用いる土壌に対して、その温度上昇処理を行うことができる。